(57)【要約】【課題】電子機器ユニットを後付けする場合に、ねじが脱落することなく、取り付け作業を容易にする。【解決手段】ゲートコントロールユニット１１のユニットケース１１Ａの下面側に、コネクタ１３に対応して取付フランジ部１１Ｂ，１１Ｃが左右側方に突出して設けられ、取り付けられた状態でユニットケース１１Ａの下面と機器ケース６Ａの上面（取付面）とが面接触する。機器ケース６Ａの上面にねじ穴６Ａａが設けられ、このねじ穴に、取付フランジ部１１Ｂ，１１Ｃが取付ねじ１４により固定される。取付ねじ１４は、合成樹脂製のねじホルダ２１を介して取付フランジ部１１Ｂ，１１Ｃに係止される。ねじホルダ２１は、取付ねじ１４が挿入される貫通穴２１Ａと、この貫通穴２１Ａの内周面から中心に向かって突出し前記取付ねじを係止する複数の突部２１Ａａと、取付フランジ部１１Ｂ，１１Ｃの係止片部１１Ｂｃ，１１Ｃｃが挿入され係止片部との係合関係により係止される係止孔部２１Ｂ，２１Ｃを備える。【選択図】  図１
2008102163.tif 000002
【特許請求の範囲】
【請求項１】
電子機器ユニットのユニットケースに取付フランジ部が形成され、前記取付フランジ部が電子機器の機器ケースの壁面のねじ穴に取付ねじにより固定される電子機器ユニットの取付構造であって、
前記取付フランジ部は、前記ユニットケースより側方に突出し取付孔が開口されている板状の本体部と、前記本体部の上面側に設けられ前記本体部に直交する方向に平行に延びる１対の係止片部とを備え、合成樹脂製のねじホルダを介して前記取付ねじによって前記機器ケースに固定される構成とされ、
前記ねじホルダは、前記取付ねじが挿入される貫通穴と、この貫通穴の内周面に設けられ前記取付ねじを係止する係止部と、前記取付フランジ部の係止片部が挿入され前記係止片部との係合関係により前記貫通穴と前記取付孔とが一致するように前記取付フランジ部に前記ねじホルダを係止させる係止孔部とを備えることを特徴とする電子機器ユニットの取付構造。
【請求項２】
前記係止部は、前記貫通穴の内周面から中心に向かって突出する突部であることを特徴とする請求項１記載の電子機器ユニットの取付構造。
【請求項３】
前記係止片部は、係止爪部を先端に有し、
前記係止孔部は、内周面より内方に突出する湾曲突部を有することを特徴とする請求項１又は２記載の電子機器ユニットの取付構造。
【請求項４】
前記ねじホルダは、前記本体部に対応する形状を有し前記本体部が係合する被係合部を有することを特徴とする請求項１〜３のいずれかに記載の電子機器ユニットの取付構造。
【請求項５】
前記電子機器ユニットのコネクタが前記電子機器のコネクタに結合されることで、前記取付孔とねじ穴との位置決めがなされることを特徴とする請求項１〜４のいずれかに記載の電子機器ユニットの取付構造。
【発明の詳細な説明】
【技術分野】
【０００１】
本発明は、電子機器ユニットの取付構造に関するものである。
【背景技術】
【０００２】
例えば電子機器の一つである光受信機は、光伝送を用いた共同受信施設のセンター装置（ＨＥ等）から伝送される光信号を電気信号に変換して出力するものであるが、そのような光受信機の光受信部が、シールド効果を有するケースでユニット化されたものが知られている（例えば特許文献１参照）。
【０００３】
共同受信施設の管理業者等の要求により視聴を禁止する必要が生じた場合、要求に該当する光受信機の光受信部に、テレビ放送信号等の電気信号を出力をしないように視聴を禁止できるゲートコントロールユニットを、後付けしたいという要求がある。
【特許文献１】特開２００５−２５０９４号公報（段落００１２〜４及び図１）
【発明の開示】
【発明が解決しようとする課題】
【０００４】
そのようなゲートコントロールユニットを後付けする場合には、光受信機が取り付けられた状態で作業する必要があるので、取り付け作業中に取付ねじが脱落することなく、作業が容易であることが要求される。しかもアース機能を確保する必要もある。
【０００５】
この発明は、電子機器ユニットを後付けする場合に、ねじが脱落することなく、取り付け作業が容易である電子機器ユニットの取付構造を提供することを目的とする。
【課題を解決するための手段】
【０００６】
請求項１の発明は、電子機器ユニットのユニットケースに取付フランジ部が形成され、前記取付フランジ部が電子機器の機器ケースの壁面のねじ穴に取付ねじにより固定される電子機器ユニットの取付構造であって、前記取付フランジ部は、前記ユニットケースより側方に突出し取付孔が開口されている板状の本体部と、前記本体部の上面側に設けられ前記本体部に直交する方向に平行に延びる１対の係止片部とを備え、合成樹脂製のねじホルダを介して前記取付ねじによって前記機器ケースに固定される構成とされ、前記ねじホルダは、前記取付ねじが挿入される貫通穴と、この貫通穴の内周面に設けられ前記取付ねじを係止する係止部と、前記取付フランジ部の係止片部が挿入され前記係止片部との係合関係により前記貫通穴と前記取付孔とが一致するように前記取付フランジ部に前記ねじホルダを係止させる係止孔部とを備えることを特徴とする。
【０００７】
このようにすれば、取付ねじをねじホルダを介して取付フランジ部に係止した状態で、取付ねじの締め付け作業を行うことができるので、電子機器ユニットを後付けする際に、作業中に取付ねじが脱落することなく、締め付け作業を効率よく行うことができる。
【０００８】
この場合、請求項２に記載のように、前記係止部は、前記貫通穴の内周面から中心に向かって突出する突部である構成とすることができる。
【０００９】
このようにすれば、ねじホルダを構成する合成樹脂の樹脂弾性を利用した簡単な構造で、取付ねじをねじホルダに係止させることができる。
【００１０】
また、請求項３に記載のように、前記係止片部は、係止爪部を先端に有する板状に形成され、前記係止孔部は、内周面より内方に突出する湾曲突部を有する構成とすることができる。
【００１１】
このようにすれば、ねじホルダを、簡単な構造で、取付フランジ部に簡単に係止させることができる。
【００１２】
請求項４に記載のように、前記ねじホルダは、前記本体部に対応する形状を有し前記本体部が係合する被係合部を有する構成とすることが望ましい。
【００１３】
このようにすれば、ねじホルダの被係合部に取付フランジ部の本体部を係合させることで、取付フランジ部に対するねじホルダの位置決めがなされる。
【００１４】
請求項５に記載のように、前記電子機器ユニットのコネクタが前記電子機器のコネクタに結合されることで、前記取付孔とねじ穴との位置決めがなされる構成とすることも可能である。
【００１５】
このようにすれば、コネクタ同士の電気的接続を利用して、電子機器ユニット側の取付孔と機器ケース側のねじ穴との位置決めがなされる。
【発明の効果】
【００１６】
本発明は、以上のように構成したから、取付ねじを、合成樹脂製のねじホルダを介して取付フランジ部に係止させた状態で、取付ねじの締め付け作業を行うことができるので、電子機器ユニットを後付けする際に、取付ねじが脱落することなく、締め付け作業を効率よく行うことが可能となる。
【発明を実施するための最良の形態】
【００１７】
以下、本発明の実施の形態を図面に沿って説明する。
【００１８】
図１は本発明に係る光受信機から光ファイバトレイ、ゲートコントロールユニットを分解して、上側から見た状態を示す斜視図である。
【００１９】
図１に示すように、光受信機１は、一面（図１においては上面）が開放される機器ケーシング２を備え、この機器ケーシング２の両側面後部には、ケーシングカバー３を、ヒンジ片３ａの部分で回転可能に支持する一対の係合凸部２ａが形成されている。これにより、機器ケーシング２にケーシングカバー３が開閉可能に設けられる。
【００２０】
この機器ケーシング２の前記一面側に光ファイバトレイ４が取り外し可能に嵌め込まれ、機器ケーシング２の内部（図１において底部）には、電源部５と、この電源部５によって電力を供給され（放送系の）光信号を電気信号に変換する光受信増幅部６とが設けられている。この光受信増幅部６に入力された光信号は、光受信増幅部６において電気信号に変換され、増幅される。この増幅された電気信号は、機器ケーシング２の下面に形成される筒状の開孔部２ｂから先端部が突出している出力端子７から出力される。この出力端子５から出力される電気信号をモニタするモニタ端子８が、機器ケース２の下面部に出力端子５と並列に設けられている。モニタ端子８も、機器ケース２の下面に形成される円筒状の開孔部２ｃから先端部が突出している。なお、電気信号はテレビ放送信号であり、この電気信号は出力端子７からは同軸ケーブルを介してテレビ受信機などに供給される。
【００２１】
光受信増幅部６（電子機器）には、共同受信施設の管理業者等の要求に応じて、電気信号を出力しないようにして視聴を禁止できるゲートコントロールユニット１１（電子機器ユニット）が取付固定されるようになっている。つまり、このゲートコントロールユニット１１は、製造時（工場出荷時）にすでに取付固定されている場合と、光受信機１を一旦所定の箇所に設置した後に取付固定される場合とがある。
【００２２】
光受信増幅部６の機器ケース６Ａ内には、上面開孔を通じて接続部が露出するコネクタ１２が設けられている。このコネクタ１２と接続されるコネクタ１３の一部が、図２に示すように、ゲートコントロールユニット１１のユニットケース１１Ａの下面側に突出して設けられている。そして、これら両コネクタ１２，１３を電気的に接続して、ゲートコントロールユニット１１を光受信増幅部６に取り付けることで、テレビ放送信号を出力しないようにして視聴を禁止させることができるようになる。
【００２３】
ユニットケース１１Ａの下面側に、コネクタ１３に対応して取付フランジ部１１Ｂ，１１Ｃが左右側方に突出して設けられている。取付フランジ部１１Ｂ，１１Ｃは、左右で長さ（突出量）が異なるが、その取付フランジ部１１Ｂ，１１Ｃの下面は、ユニットケース１１Ａの下面とほぼ面一になっている。そして、取り付けられた状態でユニットケース１１Ａの下面と機器ケース６Ａの上面（壁面）とが面接触し、ゲートコントロールユニット１１のユニットケース１１Ａが同電位（接地電圧）となるように構成されている。なお、機器ケース６Ａの上面にねじ穴６Ａａが設けられ、このねじ穴６Ａａに、取付フランジ部１１Ｂ，１１Ｃが取付ねじ１４，１４により取付固定される。また、ユニットケース１１Ａの下面の一部を、板バネ状に切り起こす構成として、ユニット１１を取り付けた際にユニットケース１１Ａが機器ケース６Ａにより確実に接触するようにすることも可能である。
【００２４】
具体的には、図１及び図３に示すように、取付フランジ部１１Ｂ，１１Ｃは、長手方向の中間部位に取付孔１１Ｂａ，１１Ｃａが開口されている板状で一様幅の本体部１１Ｂｂ，１１Ｃｂと、この本体部１１Ｂｂ，１１Ｃｂ上面側に取付孔１１Ｂａ，１１Ｃａを挟んで対向して設けられ本体部１１Ｂｂ，１１Ｃｂに直交する方向に平行に延びる１対の係止片部１１Ｂｃ，１１Ｃｃとを備え、一方の取付フランジ部１１Ｂは、先端になるほど幅が徐々に狭くなる延長アーム部１１Ｂｄを介してユニットケース１１Ａの下面に連接され、他方の取付フランジ部１１Ｃはそのままユニットケース１１Ａの下面に連接されている。
【００２５】
なお、ゲートコントロールユニット１１のコネクタ１３が光受信増幅部６のコネクタ１２に結合されることで、取付孔１１Ｂａ，１１Ｃａとねじ穴６Ａａ，６Ａａとの位置決めがなされるようになっている。
【００２６】
取付フランジ部１１Ｂ，１１Ｃは、取付ねじ１４，１４を用い、合成樹脂製のねじホルダ２１を介して機器ケース６Ａの上面に固定される。
【００２７】
ねじホルダ２１は、図４に詳細を示すように、取付ねじ１４が挿入される貫通穴２１Ａと、この貫通穴２１Ａの内周面から中心に向かって突出し取付ねじ１４を係止する係止部として機能する複数の突部２１Ａａと、取付フランジ部１１Ｂ，１１Ｃの係止片部１１Ｂｃ，１１Ｃｃが挿入され係止片部１１Ｂｃ，１１Ｃｃとの係合関係により、取付孔１１Ｂａ，１１Ｃａの中心が貫通穴２１Ａ，２１Ａの中心と一致するように前記本体部の上面側に係止される係止孔部２１Ｂ，２１Ｃとを備える。よって、取付ねじ１４をねじホルダ２１の貫通穴２１Ａ及び取付孔１１Ｂａ，１１Ｃａに挿入すれば、突部２１Ａａが突出していることから、取付ねじ１４はねじホルダ２１に係止され、簡単に外れないように一体化される。
【００２８】
係止片部１１Ｂｃ，１１Ｃｃは、幅広の係止爪部１１Ｂｃａ，１１Ｃｃａを先端に有する板状に形成されている。この係止爪部１１Ｂｃａ，１１Ｃｃａによって、ねじホルダ２１，２１の係止孔部２１Ｂ，２１Ｃ，２１Ｂ，２１Ｃに係止片部１１Ｂｃ，１１Ｂｃ，１１Ｃｃ，１１Ｃｃが挿入されたときに、ねじホルダ２１，２１が取付フランジ部１１Ｂ，１１Ｃから脱落しないように係止される。よって、取付ねじ１４，１４は、合成樹脂製のねじホルダ２１，２１を介して取付フランジ部１１Ｂ，１１Ｃに係止される。
【００２９】
また、係止孔部２１Ｂ，２１Ｃは、厚さ方向中央部位で内周面より内方に突出する湾曲突部２１Ｂａ，２１Ｃａを有し（図４（ｂ）参照）、ねじホルダ２１が取付フランジ部１１Ｂ，１１Ｃから脱落しないようにする上で有利な形状となっている。
【００３０】
さらに、ねじホルダ２１の長手方向中間部位には、本体部１１Ｂｂ，１１Ｃｂの幅に対応する溝幅を有し本体部１１Ｂｂ，１１Ｃｂが係合する凹溝部２１Ｄ，２１Ｅ（被係合部）を、中央部分の上下面に有する。この凹溝部２１Ｄ，２１Ｅが本体部１１Ｂｂ，１１Ｃｂに嵌り込むことでねじホルダ２１の長手方向における位置決めがなされる。
【００３１】
続いて、ゲートコントロールユニット１１を光受信増幅部６の上面に取り付ける作業手順について説明する。なお、取付作業に先立って、ケーシングカバー３が開放され、光ファイバトレイ４が取り外される。
【００３２】
まず、ねじホルダ２１の貫通穴２１Ａに取付ねじ１４を挿入する。これにより、取付ねじ１４の周面が突部２１Ａａに接触することで、ねじホルダ２１に取付ねじ１４が係止される。その取付ねじ１４，１４を係止した状態で、ねじホルダ２１，２１の係止孔部２１Ｂ，２１Ｃ，２１Ｂ，２１Ｃに取付フランジ部１１Ｂ，１１Ｃの係止片部１１Ｂｃ，１１Ｂｃ，１１Ｃｃ，１１Ｃｃを挿入し、取付フランジ部１１Ｂ，１１Ｃにねじホルダ２１，２１を介して取付ねじ１４，１４を係止させる。なお、逆に、取付フランジ部１１Ｂ，１１Ｃにねじホルダ１４，１４を係止させ、それから、ねじホルダ２１，２１の貫通穴２１Ａ，２１Ａに取付ねじ１４，１４を挿通して取付ねじ１４，１４を係止させることもできる。
【００３３】
その状態で、ゲートコントロールユニット１１のコネクタ１３を、光受信増幅部６のコネクタ１２に結合する。これらの結合により、取付孔１１Ｂａ，１１Ｃａとねじ穴６Ａａ，６Ａａとの位置決めがなされるようになっている。この結合作業の時には、ゲートコントロールユニット１１に取付ねじ１４，１４は係止されているので、取付ねじ１４，１４が不用意に取付フランジ部１１Ｂ，１１Ｃから脱落して落下するということがなくなる。
【００３４】
取付ねじ１４，１４は取付フランジ部１１Ｂ，１１Ｃ（ねじホルダ２１，２１）に脱落して落下しないように取り付けられているので、各取付ねじ１４，１４は、ねじ穴６Ａａ，６Ａａに対して位置決めされた状態で、脱落しないようにゲートコントロールユニット１１に保持されている。
【００３５】
よって、作業者は、取付ねじ１４，１４の脱落・落下を気にすることなく、工具を用いて、取付ねじ１４，１４をそれぞれねじ穴６Ａａ，６Ａａに対して締め込むことで、ゲートコントロールユニット１１の光受信増幅部６への取付作業が完了する。
【００３６】
このように、取付ねじ１４，１４を、ねじホルダ２１，２１を介して取付フランジ部１１Ｂ，１１Ｃに係止させた状態で、取付ねじ１４，１４の締め付け作業を行うことができるので、ゲートコントロールユニット１１を後付けする際に、取付ねじ１４，１４が脱落することなく、締め付け作業を効率よく行うことが可能となる。特に、すでに取り付けられている光受信機１の光受信増幅部６に対し、その取付場所で後から取り付ける場合に特に有効である。
【００３７】
前記実施の形態においては、ゲートコントロールユニット１１を光受信機の光受信増幅部６に取り付ける場合の例について説明しているが、本発明はそれに限定されるものではなく、他の電子機器ユニットにおいて、ユニットケースに取付フランジ部が形成され、前記取付フランジ部が電子機器の機器ケースの壁面のねじ穴に取付ねじにより固定される場合も同様に適用することができる。
【図面の簡単な説明】
【００３８】
【図１】本発明に係る光受信機から光ファイバトレイ、ゲートコントロールユニットを分解して、上側から見た状態を示す斜視図である。
【図２】本発明に係る光受信機の、ゲートコントロールユニットを分解して、下側から見た状態を示す斜視図である。
【図３】（ａ）は前記光受信機の平面図、（ｂ）は図３（ａ）のＡ−Ａ線における断面図、（ｃ）は図３（ａ）のＢ−Ｂ線における断面図である。
【図４】（ａ）はねじホルダの平面図、（ｂ）は図４（ａ）のＣ−Ｃ線における断面図、（ｃ）は図４（ａ）のＤ−Ｄ線における断面図である。
【符号の説明】
【００３９】
１    光受信機
６    光受信増幅部
６Ａ    機器ケース
６Ａａ    ねじ穴
１１    ゲートコントロールユニット
１１Ａ    ユニットケース
１１Ｂ，１１Ｃ    取付フランジ部
１１Ｂｃ，１１Ｃｃ    係止片部
１１Ｂｃａ，１１Ｃｃａ    係止爪部
１２，１３    コネクタ
１４    取付ねじ
２１    ねじホルダ
２１Ａ    貫通穴
２１Ａａ    突部
２１Ｂ，２１Ｃ    係止孔部
２１Ｂａ，２１Ｃａ    湾曲突部
２１Ｄ，２１Ｅ    凹溝部
【図１】
2008102163.tif 000003
【図２】
2008102163.tif 000004
【図３】
2008102163.tif 000005
【図４】
2008102163.tif 000006